(57)【要約】【課題】特定利用者に、より適切な通過の制御を行うことができる自動改札機を提供することである。【解決手段】実施形態の自動改札機は、扉部と、読取部と、制御部とを持つ。扉部は、利用者の通過を制限する。読取部は、媒体から効力情報を読み取る。制御部は、前記読取部により読み取られた効力情報に基づいて前記利用者の通過を許可すると判定された場合に前記扉部を開放状態にする制御を行い、前記利用者の通過を許可しないと判定された場合に前記扉部を閉止状態にする制御を行う。また、制御部は、前記効力情報が他社の路線の効力情報であることで前記利用者の通過を許可しないと判定された場合において、前記効力情報に含まれる前記利用者の種別が特定利用者である場合に、前記扉部を開放状態にする制御を行う。【選択図】図４
2019164428.tif 000002
【特許請求の範囲】
【請求項１】
利用者の通過を制限する扉部と、
媒体から効力情報を読み取る読取部と、
前記読取部により読み取られた効力情報に基づいて前記利用者の通過を許可すると判定された場合に前記扉部を開放状態にする制御を行い、前記利用者の通過を許可しないと判定された場合に前記扉部を閉止状態にする制御を行う制御部と、を備え、
前記制御部は、前記効力情報が他社の路線の効力情報であることで前記利用者の通過を許可しないと判定された場合において、前記効力情報に含まれる前記利用者の種別が特定利用者である場合に、前記扉部を開放状態にする制御を行う、
自動改札機。
【請求項２】
周囲に警報を出力する警報部を更に備え、
前記制御部は、前記効力情報が他社の路線の効力情報であることで前記利用者の通過を許可しないと判定された場合において、前記効力情報に含まれる前記利用者の種別が特定利用者である場合に、前記警報部により所定の警報を出力する、
請求項１に記載の自動改札機。
【請求項３】
前記制御部は、前記利用者の通過を許可すると判定された場合に、前記利用者の種別ごとに前記扉部を閉止状態にする制御を行うか否かが設定された設定情報を参照し、参照した設定情報が閉止状態にする制御を行わない設定である場合に、前記扉部を開放状態にする制御を行う、
請求項１または２のうち何れか１項に記載の自動改札機。
【発明の詳細な説明】
【技術分野】
【０００１】
本発明の実施形態は、自動改札機に関する。
【背景技術】
【０００２】
従来、乗車券やチケット等の媒体から読み取った情報に基づいて、利用者の通過可否を判定し、判定結果に基づいて利用者の通行を制御する自動改札機が知られている。自動改札機は、利用者の通過を許可しない場合に、扉を閉じて通路の一部を遮蔽することで、利用者が通行できないようにする。しかしながら、高齢者や子供等の特定利用者に対して扉の閉まる制御を行った場合には、扉と接触することで特定利用者が転倒したりケガをする可能性があった。
【先行技術文献】
【特許文献】
【０００３】
【特許文献１】特開平８−８３３６３号公報
【特許文献２】特開２００４−２８０６８５号公報
【特許文献３】特開２００１−１７５８９７号公報
【特許文献４】特開２００４−３０２８３２号公報
【特許文献５】特開２０００−１１３２４５号公報
【発明の概要】
【発明が解決しようとする課題】
【０００４】
本発明が解決しようとする課題は、特定利用者に、より適切な通過の制御を行うことができる自動改札機を提供することである。
【課題を解決するための手段】
【０００５】
実施形態の自動改札機は、扉部と、読取部と、制御部とを持つ。扉部は、利用者の通過を制限する。読取部は、媒体から効力情報を読み取る。制御部は、前記読取部により読み取られた効力情報に基づいて前記利用者の通過を許可すると判定された場合に前記扉部を開放状態にする制御を行い、前記利用者の通過を許可しないと判定された場合に前記扉部を閉止状態にする制御を行う。また、制御部は、前記効力情報が他社の路線の効力情報であることで前記利用者の通過を許可しないと判定された場合において、前記効力情報に含まれる前記利用者の種別が特定利用者である場合に、前記扉部を開放状態にする制御を行う。
【図面の簡単な説明】
【０００６】
【図１】実施形態の自動改札システム１の構成の一例を示す図。
【図２】実施形態の自動改札機１００を上方から見た図。
【図３】実施形態の自動改札機１００のリーダライタ１１１を上方から見た図。
【図４】実施形態の自動改札機１００の機能構成の一例を示す図。
【図５】実施形態の設定情報１７４の内容の一例を示す図。
【図６】実施形態の監視装置２００の機能構成の一例を示す図。
【図７】実施形態の自動改札機１００による処理の流れの一例を示すフローチャート。
【発明を実施するための形態】
【０００７】
以下、実施形態の自動改札機を、図面を参照して説明する。
【０００８】
［全体構成］
図１は、実施形態の自動改札システム１の構成の一例を示す図である。自動改札システム１は、例えば、自動改札機１００と、監視装置２００とを備える。駅構内やテーマパーク等の施設の入出場口には、少なくとも一つの自動改札機１００が設置される。以下の説明において、自動改札機１００は、主に利用者Ｕ１が駅構内に入場して鉄道等の路線を利用するために通過する自動改札機であるものとして説明するが、駅構内から出場するために通過する自動改札機であっても同様の処理が実行される。
【０００９】
利用者Ｕ１は、自動改札機１００を通過する場合に、利用者Ｕ１が所持する乗車券Ｔ１の情報を自動改札機１００に読み取らせる。乗車券Ｔ１は、例えば、ＩＣ（Integrated Circuit）チップ等の電子部品が埋設された交通系ＩＣカードである。ＩＣカードには、例えば、適用可能な路線種別、利用者種別、有効期間、利用区間、入場駅（発駅）の識別情報、乗車券を識別する乗車券識別情報、乗車時刻、駅構内からの出場或いは駅構内への入場を示す入出場コード、電子マネーの残高等を含む効力情報が記憶される。路線種別には、例えば、鉄道を運営する鉄道会社等の識別情報が含まれる。利用者種別には、例えば、子供（小学生以下）、大人（中学生以上）、高齢者（７０歳以上）が含まれる。効力情報は、例えば、券売機等により、乗車券Ｔ１が発券される場合或いは乗車券Ｔ１に記憶されていた効力情報が更新される場合に、利用者Ｕ１または駅係員の指示により乗車券Ｔ１に記憶されるものである。なお、乗車券Ｔ１は、券の表面あるいは裏面に磁気記録面を有する磁気券や、ＱＲコード（登録商標）等の二次元コードが印刷された紙券であってもよい。
【００１０】
自動改札機１００は、例えば、乗車券Ｔ１から読み取られた情報に基づいて、利用者Ｕ１の通過を許可または禁止する。また、自動改札機１００は、駅構内への入場時に、利用券Ｔ１とＷｉ−Ｆｉ等の近距離無線を用いた通信を行う。また、自動改札機１００は、例えば、ＬＡＮ（Local Area Network）等のネットワークを介して監視装置２００と通信を行う。
【００１１】
監視装置２００は、例えば駅ごとに設けられ、ＬＡＮ等のネットワークを介して、自動改札機１００と通信を行い、自動改札機１００の動作を監視する。また、監視装置２００は、ＬＡＮやＷＡＮ（Wide Area Network）等を含むネットワークを介して、センターサーバ装置（不図示）等に監視結果を送信してもよい。
【００１２】
以下、上述した自動改札機１００および監視装置２００について詳細に説明する。
【００１３】
［自動改札機］
まず、自動改札機１００の説明を行う。図２は、実施形態の自動改札機１００を上方から見た図である。自動改札機１００は、例えば、通路を挟んで対向配置される主機１１０と従機１３０とを備える。主機１１０は、例えば、リーダライタ１１１と、上面表示部１１２と、正面表示部１１３と、扉部１１４および１１５と、スピーカ１１６と、警報ランプ１１７と、改札機側制御部１５０とを備える。また、従機１３０は、リーダライタ１３１と、上面表示部１３２と、正面表示部１３３と、扉部１３４および１３５と、スピーカ１３６と、警報ランプ１３７とを備える。リーダライタ１１１および１３１は、「読取部」の一例である。また、スピーカ１１６、１３６、警報ランプ１１７、１３７は、上面表示部１１２、正面表示部１１３、１３３、およびタッチ面表示部１１１ｂ、１３１ｂは、「警報部」の一例である。
【００１４】
主機１１０のリーダライタ１１１は、図２に示すａ方向に通過しようとする利用者Ｕ１によって翳された乗車券Ｔ１と通信することで効力情報を読み取り、読み取った効力情報を改札機側制御部１５０に送信する。
【００１５】
上面表示部１１２は、リーダライタ１１１に対して乗車券Ｔ１が翳された場合に、改札機側制御部１５０によって処理された結果に基づく画像を表示する。正面表示部１１３は、図２に示すａ方向に通過可能であるか否かを示すマークや図形、文字、模様、所定色の画像等を表示する。正面表示部１１３の表示内容または表示の有無は、改札機側制御部１５０によって決定される。
【００１６】
一方、従機１３０のリーダライタ１３１は、図２に示すｂ方向に通過しようとする利用者Ｕ１によって翳された乗車券Ｔ１と通信することで効力情報を読み取り、読み取った効力情報を改札機側制御部１５０に送信する。上面表示部１３２は、リーダライタ１３１に対して乗車券Ｔ１が翳された場合に、改札機側制御部１５０によって処理された結果に基づく画像を表示する。正面表示部１３３は、図２に示すｂ方向に通過可能であるか否かを示すマークや図形、文字、模様、所定色の画像等を表示する。正面表示部１３３の表示内容または表示の有無は、改札機側制御部１５０によって決定される。
【００１７】
改札機側制御部１５０は、図２に示すａ方向への利用者Ｕ１の通過を許可する動作モードに自動改札機１００が設定されている場合、扉部１１５および１３５を開放状態に維持すると共に、扉部１１４および１３４を開放状態または閉止状態に制御することで、ａ方向の利用者Ｕ１の通過を許可または禁止する。また、改札機側制御部１５０は、図２に示すｂ方向への利用者Ｕ１の通過を許可する動作モードに自動改札機１００が設定されている場合、扉部１１４および１３４を開放状態に維持すると共に、扉部１１５および１３５を開放状態または閉止状態に制御することで、ｂ方向の利用者Ｕ１の通過を許可または禁止する。
【００１８】
また、自動改札機１００の動作モードには、図２に示すａ方向の通過とｂ方向の通過との双方を許可する動作モードが含まれていてもよい。この場合、改札機側制御部１５０は、例えば、利用者Ｕ１が通過中でなければ正面表示部１１３と正面表示部１３３の双方に通過を許可することを示すマークや図形、文字、模様、所定色の画像等を表示させる制御を行う。また、改札機側制御部１５０は、例えば、利用者Ｕ１がａ方向およびｂ方向のいずれかの側から進入し、リーダライタ１１１とリーダライタ１３１とのいずれか一方に乗車券Ｔ１が翳されると、他方のリーダライタを無効化すると共に、利用者Ｕ１が進入してきていない側の表示部（正面表示部１１３または正面表示部１３３）に、通過を禁止することを示すマークや図形、文字、模様、所定色の画像等を表示させる制御を行う。
【００１９】
また、スピーカ１１６、１３６は、改札機側制御部１５０により出力される情報に従って所定の音声を出力する。また、警報ランプ１１７、１３７は、改札機側制御部１５０により出力される情報に従って所定の色の発光部を発光させる。発光部は、例えば、ＬＥＤ（Light Emitting Diode）ランプである。
【００２０】
なお、自動改札機１００は、上述したように利用者Ｕ１が双方向に通過可能なものに限らず、主機と補機（従機）により構成される、利用者Ｕ１が一方向にのみ通過可能なものであってもよい。
【００２１】
図３は、実施形態の自動改札機１００のリーダライタ１１１を上方から見た図である。リーダライタ１１１は、例えば、アンテナ１１１ａおよびタッチ面表示部１１１ｂを備える。アンテナ１１１ａは、通信対象である乗車券Ｔ１の無線通信規格に応じた電波を発信する。例えば、アンテナ１１１ａは、１３．５６［ＭＨｚ］や９００［ＭＨｚ］等の周波数帯の電波を発信する。そして、アンテナ１１１ａは、乗車券Ｔ１により発信された電波を受信し、受信した電波の信号から効力情報を取得する。
【００２２】
タッチ面表示部１１１ｂは、例えば、ＬＥＤランプや、ＬＣＤ（Liquid Crystal Display）、有機ＥＬ（Electro Luminescence）ディスプレイ等であり、上方から見てアンテナ１１１ａの前面に配置される。例えば、タッチ面表示部１１１ｂは、アンテナ１１１ａにより送信される電波に干渉しないものであると好適である。
【００２３】
なお、図３に示すリーダライタ１１１の構成は、従機１３０のリーダライタ１３１にも同様に適用してもよい。すなわち、従機１３０のリーダライタ１３１は、アンテナ１３１ａおよびタッチ面表示部１３１ｂを備える構成であってよい。
【００２４】
自動改札機１００のそれぞれの構成要素の位置や形状、数については、図２の例に限定されない。また、自動改札機１００には、例えば、乗車券Ｔ１が磁気券である場合に、磁気記録面から効力情報を読み取る読取部が含まれてもよい。
【００２５】
図４は、実施形態の自動改札機１００の機能構成の一例を示す図である。自動改札機１００は、図２および図３に示す構成の他、例えば、監視装置２００等の外部装置と通信を行う改札機側通信部１４５と、種々の情報を格納する改札機側記憶部１７０とを更に備える。
【００２６】
改札機側通信部１４５は、例えば、ネットワークインタフェースコントローラ等の通信用のハードウェアである。
【００２７】
改札機側制御部１５０は、例えば、通信制御部１５１と、リードライト制御部１５２と、通過可否判定部１５３と、通過制御部１５４と、警報制御部１５５とを備える。通過可否判定部１５３と、通過制御部１５４と、警報制御部１５５とを合わせたものが、「制御部」の一例である。
【００２８】
改札機側制御部１５０の構成要素の一部または全部は、ＣＰＵ（Central Processing Unit）等のプロセッサが改札機側記憶部１７０に記憶されたプログラムを実行することにより実現されてよい。また、改札機側制御部１５０の構成要素の一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）等のハードウェア（回路部；circuitryを含む）によって実現されてもよいし、ソフトウェアとハードウェアの協働によって実現されてもよい。
【００２９】
改札機側記憶部１７０は、例えばＲＯＭ（Read Only Memory）、ＲＡＭ（Random Access Memory）、フラッシュメモリ、ＨＤＤ（Hard Disk Drive）、ＳＤカード等によって実現される。改札機側記憶部１７０は、プロセッサが実行するプログラムを格納する他、自機が設置された駅の識別情報や、各種表示部に表示させる画像データまたはテキストデータ、運賃テーブル１７２、設定情報１７４等を格納する。運賃テーブル１７２は、例えば、利用区間に対して運賃が対応付けられた情報である。また、運賃テーブル１７２は、利用区間に加えて利用者種別ごとの運賃が対応付けられた情報であってもよい。
【００３０】
図５は、実施形態の設定情報１７４の内容の一例を示す図である。設定情報１７４は、例えば、利用者種別に、閉止フラグ、音声情報、および警報ランプ情報が対応付けられている。利用者種別は、例えば、効力情報に含まれる利用者Ｕ１を識別する識別情報である。利用者種別には、例えば、子供（小学生以下）、大人（中学生以上）、高齢者（７０歳以上）等の情報が含まれる。
【００３１】
閉止フラグは、通過可否判定部１５３により利用者Ｕ１の通過が許可されなかった場合に、通過制御部１５４によって、扉部１１４、１１５、１３４、１３５を閉止状態にする制御を行うか否かを判定するためのフラグである。例えば、図５の例において、通過可否判定部１５３により利用者Ｕ１の通過を許可しないと判定された場合において、閉止状態にする制御を行う場合には閉止フラグに「１」が設定され、閉止状態にする制御を行わない場合には、閉止フラグに「０」が設定される。
【００３２】
音声情報は、例えば、通過可否判定部１５３により利用者Ｕ１の通過が許可されなかった場合に、警報制御部１５５によりスピーカ１１６、１３６から出力される音声に関する情報が含まれる。音声に関する情報とは、例えば、出力される警報音やメッセージの内容、音の大きさ等である。例えば、利用者種別が子供や高齢者である場合には、通常の場合（例えば、大人の場合）よりも、異なる内容（例えば、短い文章）で分かりやすいメッセージ音声を、大きい音で出力するような設定がなされる。
【００３３】
警報ランプ情報は、例えば、ランプの色に関する情報と、ランプを点灯させるか、または点滅させるかを示す情報とが含まれる。なお、設定情報１７４には、例えば、上面表示部１１２、１３２、正面表示部１１３、１３３、およびタッチ面表示部１１１ｂ、１３１ｂのそれぞれに表示される内容が含まれていてもよい。上述した運賃テーブル１７２および設定情報１７４は、例えば、監視装置２００からの更新データ等により更新される。
【００３４】
通信制御部１５１は、改札機側通信部１４５を用いて、後述する通過可否判定部１５３による判定結果等を、監視装置２００に送信する。また、通信制御部１５１は、改札機側通信部１４５を用いて、監視装置２００により送信された情報を受信する。また、通信制御部１５１は、監視装置２００から運賃テーブル１７２または設定情報１７４の更新データを受信した場合に、改札機側記憶部１７０に記憶された運賃テーブル１７２または設定情報１７４を更新する。
【００３５】
リードライト制御部１５２は、例えば、リーダライタ１１１、１３１に乗車券Ｔ１が翳されたか否かを判定し、乗車券Ｔ１が翳された場合に、各リーダライタのアンテナ１１１ａ、１３１ａに電波を発信させる。例えば、リードライト制御部１５２は、アンテナ１１１ａ、１３１ａに常時または所定周期で電力供給のための電波を発信させる（ポーリングを行う）。このとき、電波の有効通信範囲内に乗車券Ｔ１が存在すると、乗車券Ｔ１には電力が供給される。そして、乗車券Ｔ１は、電力供給を受けて起動し、応答として電波を発信する。これをアンテナ１１１ａ、１３１ａが受信した場合、リードライト制御部１５２は、リーダライタ１１１、１３１に乗車券Ｔ１が翳されたと判定する。そして、リードライト制御部１５２は、乗車券Ｔ１から効力情報を読み出すための電波（コマンド）をアンテナ１１１ａ、１３１ａに発信させる。この電波を受けると乗車券Ｔ１は、効力情報を電波として発信する。これによって、リーダライタ１１１、１３１により効力情報が取得される。
【００３６】
また、リードライト制御部１５２は、通過可否判定部１５３の判定結果に応じて、乗車券Ｔ１が翳されたリーダライタのアンテナ１１１ａ、１３１ａに電波を発信させることで、乗車券Ｔ１に記憶された効力情報を書き換えたり、乗車券Ｔ１に新たな情報を書き込んだりする。
【００３７】
通過可否判定部１５３は、リーダライタ１１１、１３１による効力情報の読取結果に基づいて、利用者の通過可否を判定する。例えば、乗車券Ｔ１から読み取られた効力情報に含まれる路線種別に基づいて、乗車券Ｔ１から読み取られた効力情報が、第１許可条件を満たすか否かを判定する。第１許可条件とは、例えば、効力情報に含まれる路線種別が自社の路線であることである。また、通過可否判定部１５３は、効力情報に含まれる利用区間に基づいて、第１許可条件を満たすか否かを判定してもよい。
【００３８】
通過可否判定部１５３は、効力情報が第１許可条件を満たさない場合、利用者Ｕ１の通過を許可しないと判定する。また、通過可否判定部１５３は、効力情報が第１許可条件を満たす場合、効力情報が第２許可条件を満たすか否かを判定する。第２許可条件とは、例えば、効力情報に含まれる有効期間を過ぎていないことである。通過可否判定部１５３は、効力情報が第２許可条件を満たさない場合、利用者Ｕ１の通過を許可しないと判定する。
【００３９】
また、通過可否判定部１５３は、効力情報が第２許可条件を満たす場合、効力情報が第３許可条件を満たすか否かを判定する。第３許可条件とは、例えば、自動改札機１００が設置された駅が効力情報に含まれる利用区間に含まれることである。また、効力情報に含まれる電子マネーを用いて精算処理を行う場合において、入場時では効力情報に含まれる電子マネーの残高が所定金額以上であることであり、出場時では運賃テーブル１７２を参照して取得した入場駅から出場駅までの利用者種別に応じた運賃が、電子マネーの残高以下であることである。通過可否判定部１５３は、効力情報が第３許可条件を満たさない場合、利用者Ｕ１の通過を許可しないと判定し、効力情報が第３許可条件を満たす場合に、利用者Ｕ１の通過を許可する。通過可否判定部１５３は、上述した許可条件に代えて、予め設定された拒否条件を用いて通過の可否判定を行ってもよい。
【００４０】
また、通過可否判定部１５３は、通過可否の判定結果を示す情報を、監視装置２００に送信する。通過可否の判定結果を示す情報には、例えば、通過可否の判定結果や判定日時、通過可否を判定した対象の効力情報が含まれる。
【００４１】
通過制御部１５４は、通過可否判定部１５３による判定結果に基づいて、利用者Ｕ１の通過を許可、あるいは禁止する制御を行う。例えば、通過制御部１５４は、通過の許可または禁止の判定に基づいて、扉部１１４、１１５、１３４、１３５の開閉を制御する。具体的には、通過制御部１５４は、通過可否判定部１５３により利用者Ｕ１の通過を許可すると判定された場合に、扉部１１４、１１５、１３４、１３５を開放状態にする制御を行う。
【００４２】
また、通過制御部１５４は、通過可否判定部１５３により利用者Ｕ１の通過を許可しないと判定された場合に、扉部１１４、１１５、１３４、１３５を閉止状態にする制御を行う。ここで、通過制御部１５４は、効力情報が第１許可条件を満たさずに（他社の路線の効力情報であることで）、利用者Ｕ１が通過できないと判定された場合において、効力情報に含まれる利用者種別が特定利用者（例えば、子供や高齢者）であるか否かを判定する。そして、利用者Ｕ１が特定利用者である場合、通過制御部１５４は、扉部１１４、１１５、１３４、１３５を開放状態にする制御を行う。ここでの開放状態にする制御とは、扉部１１４、１１５、１３４、１３５を閉止状態にする制御を抑制する制御である。閉止状態する制御を抑制するとは、例えば、利用者Ｕ１の通過時に扉部１１４、１１５、１３４、１３５を閉じないようにすることである。これにより、子供や高齢者が閉じている扉部に気づかずに接触して転倒したり、開放状態から閉止状態に移動中の扉部に接触することでケガをしてしまうことを防止することができる。
【００４３】
また、通過制御部１５４は、通過可否判定部１５３により利用者Ｕ１の通過を許可しないと判定された場合に、乗車券Ｔ１の効力情報に含まれる利用者種別を用いて、改札機側記憶部１７０に記憶された設定情報１７４の利用者種別を参照し、合致する利用者種別に対応付けられた閉止フラグに基づいて、扉部１１４、１１５、１３４、１３５の開閉状態を制御してもよい。例えば、通過制御部１５４は、閉止フラグが「１」である場合には、扉部１１４、１１５、１３４、１３５を閉止状態にする制御を行い、閉止フラグが「０」である場合には、扉部１１４、１１５、１３４、１３５を開放状態にする制御を行う（閉止状態にする制御を抑制する）。これにより、閉止フラグに基づいて、扉部１１４、１１５、１３４、１３５を閉止状態にするか否かを容易に制御することができる。したがって、自動改札システム１の管理者等は、監視装置２００を用いて、自動改札機１００が設置されている場所や時間帯、曜日等に基づいて、閉止フラグの書き換えを行う更新データを生成し、生成した更新データを自動改札機１００に送信することで、自動改札機１００ごとに、より柔軟な通過制御を実行させることができる。
【００４４】
警報制御部１５５は、通過可否判定部１５３による判定結果に基づいて、利用者Ｕ１の通過を許可しないと判定された場合に、複数の警報部（例えば、スピーカ１１６、１３６、警報ランプ１１７、１３７、上面表示部１１２、１３２、正面表示部１１３、１３３、およびタッチ面表示部１１１ｂ、１３１ｂ）のうち、少なくとも一つに利用者Ｕ１が通過できないことを示す情報を出力させる。
【００４５】
例えば、警報制御部１５５は、効力情報が第１許可条件を満たさないことで、利用者Ｕ１の通過が許可できないと判定された場合において、利用者種別が特定利用者である場合に、複数の警報部のうち少なくとも一つから所定の警報を出力する。例えば、特定利用者が、扉部１１４、１１５、１３４、１３５の閉止制御を行わない高齢者である場合に、扉部が閉止していないので、そのまま通りすぎてしまう場合がある。したがって、警報制御部１５５は、特定利用者である場合には、特定利用者でない利用者に対して出力する場合に比して、スピーカ１１６、１３６から出力される音量を大きくしたり、警報ランプ１１７、１３７に対してランプの色を変えたり、点灯表示ではなく点滅表示させる等の出力制御を行う。
【００４６】
また、警報制御部１５５は、通過可否判定部１５３により利用者Ｕ１の通過を許可しないと判定された場合に、乗車券Ｔ１の効力情報に含まれる利用者種別を用いて、改札機側記憶部１７０に記憶された設定情報１７４の利用者種別を参照し、合致する利用者種別に対応付けられた音声情報や警報ランプ情報に基づいて、スピーカ１１６、１３６からの音声出力や、警報ランプ１１７、１３７による発光出力を行ってもよい。これにより、利用者種別に基づいて、警報の内容を異ならせることができるため、利用者Ｕ１は、扉部１１４、１１５、１３４、１３５が閉止状態でなくても、通過が許可されていないことを、より明確に把握することができ、駅係員等の周囲の関係者には、通過が許可されていない利用者が通過したこと、および通過した利用者の種別を容易に把握することができる。
【００４７】
［監視装置］
次に、監視装置２００の説明を行う。図６は、実施形態の監視装置２００の機能構成の一例を示す図である。監視装置２００は、例えば、監視装置側通信部２１０と、監視装置側入出力部２２０と、監視装置側制御部２３０と、監視装置側記憶部２４０とを備える。
【００４８】
監視装置側通信部２１０は、例えば、ネットワークインタフェースコントローラ等の通信用のハードウェアである。
【００４９】
監視装置側入出力部２２０は、例えば、管理者等からの指示を入力する入力インターフェースを備える。また、監視装置側入出力部２２０は、監視装置側制御部２３０により出力される情報に従って生成された画像を表示するＬＣＤや有機ＥＬディスプレイを備える。監視装置側入出力部２２０は、例えば、入力と出力とが一体になったタッチパネル装置でもよい。
【００５０】
監視装置側制御部２３０は、ＣＰＵ等のプロセッサが監視装置側記憶部２４０に記憶されたプログラムを実行することにより実現されてよい。また、監視装置側制御部２３０は、ＬＳＩやＡＳＩＣ、ＦＰＧＡ、ＧＰＵ等のハードウェア（回路部；circuitryを含む）によって実現されてもよいし、ソフトウェアとハードウェアの協働によって実現されてもよい。
【００５１】
監視装置側制御部２３０は、例えば、監視装置側通信部２１０を制御して、自動改札機１００から通過可否の判定結果を示す情報を受信し、受信した情報に基づく画像を監視装置側入出力部２２０に表示させる。また、監視装置側制御部２３０は、受信した通過可否の判定結果を示す情報を、監視装置側記憶部２４０に記憶させる。また、監視装置側制御部２３０は、監視装置側入出力部２２０による管理者等からの入力指示により、各自動改札機１００の改札機側記憶部１７０に記憶される運賃テーブル１７２や設定情報１７４に対する情報の削除、追加、変更等の更新を行う更新データを生成し、生成した更新データを監視装置側通信部２１０により各自動改札機１００に送信させる。
【００５２】
監視装置側記憶部２４０は、例えばＲＯＭ、ＲＡＭ、フラッシュメモリ、ＨＤＤ、ＳＤカード等によって実現される。監視装置側記憶部２４０プロセッサが実行するプログラムを格納する他、通過可否の判定結果を示す情報等を格納する。また、監視装置側記憶部２４０は、自動改札機１００ごとの運賃データ、設定情報、更新データ等を格納してもよい。
【００５３】
［処理フロー］
図７は、実施形態の自動改札機１００による処理の流れの一例を示すフローチャートである。本フローチャートの処理は、例えば、所定の周期で繰り返し行われてよい。
【００５４】
まず、リードライト制御部１５２は、リーダライタ１１１、１３１により乗車券Ｔ１から読み取られた効力情報を取得する（ステップＳ１００）。次に、通過可否判定部１５３は、予め定められた通過の許可条件等に基づいて、利用者Ｕ１の通過を許可するか否かを判定する（ステップＳ１０２）。利用者Ｕ１の通過を許可すると判定された場合、通過制御部１５４は、扉部１１４、１１５、１３４、１３５を開放状態にする制御を行う（ステップＳ１０４）。
【００５５】
また、利用者Ｕ１の通過を許可しない（通過を禁止する）と判定された場合、通過制御部１５４は、他社の路線の効力情報であることで利用者Ｕ１の通過を許可しないのか否かを判定する（ステップＳ１０６）。他社の路線の効力情報であることで利用者Ｕ１の通過を許可しないと判定された場合、通過制御部１５４は、利用者Ｕ１が特定利用者であるか否かを判定する（ステップＳ１０８）。利用者Ｕ１が特定利用者である場合、通過制御部１５４は、扉部１１４、１１５、１３４、１３５を開放状態にする制御を行う（ステップＳ１１０）。次に、警報制御部１５５は、特定利用者に対応付けられた警報を出力する（ステップＳ１１２）。
【００５６】
また、ステップＳ１０６の処理において、乗車券Ｔ１から取得した効力情報が、他社の路線の効力情報であることで利用者Ｕ１の通過を許可しない判定されていない場合、またはステップＳ１０８の処理において、利用者Ｕ１が特定利用者でない場合、通過制御部１５４は、扉部１１４、１１５、１３４、１３５を閉止状態にする制御を行う（ステップＳ１１４）。次に、警報制御部１５５は、利用者Ｕ１に対し通常の警報を出力する（ステップＳ１１６）。これにより、本フローチャートの処理は、終了する。
【００５７】
以上説明した少なくとも一つの実施形態によれば、自動改札機１００が、利用者Ｕ１の通過を制限する扉部１１４、１１５、１３４、１３５と、媒体から効力情報を読み取るリーダライタ１１１、１３１と、前記読取部により読み取られた効力情報に基づいて利用者Ｕ１の通過を許可すると判定された場合に扉部１１４、１１５、１３４、１３５を開放状態にする制御を行い、利用者Ｕ１の通過を許可しないと判定された場合に扉部を閉止状態にする制御を行う通過制御部１５４と、を備え、通過制御部１５４は、効力情報が他社の路線の効力情報であることで利用者Ｕ１の通過を許可しないと判定された場合において、効力情報に含まれる利用者Ｕ１の種別が特定利用者である場合に、扉部を開放状態にする制御を行うことにより、特定利用者に、より適切な通過の制御を行うことができる。例えば、少なくとも一つの実施形態によれば、扉部を閉じないことで、高齢者等の扉部による転倒やケガ等を未然に防止することができる。
【００５８】
上記実施形態は、以下のように表現することができる。
利用者の通過を制限する扉部と、
媒体と無線通信を行うことで前記媒体から情報を読み取る読取部と、
記憶部と、
前記記憶部に記憶されたプログラムを実行するハードウェアプロセッサと、を備え、
前記記憶部には、前記ハードウェアプロセッサに、
前記読取部により読み取られた効力情報に基づいて前記利用者の通過を許可すると判定された場合に前記扉部を開放状態にする制御を行い、前記利用者の通過を許可しないと判定された場合に前記扉部を閉止状態にする制御を行い、
前記効力情報が他社の路線の効力情報であることで前記利用者の通過を許可しないと判定された場合において、前記効力情報に含まれる前記利用者の種別が特定利用者である場合に、前記扉部を開放状態にする制御を行う、
処理を実行させる前記プログラムが格納されている、
自動改札機。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１…自動改札システム、１００…自動改札機、１１１、１３１…リーダライタ、１１２、１３２…上面表示部、１１３、１３３…正面表示部、１１４、１１５、１３４、１３５…扉部、１１６、１３６…スピーカ、１１７、１３７…警報ランプ、１４５…改札機側通信部、１５０…改札機側制御部、１５１…通信制御部、１５２…リードライト制御部、１５３…通過可否判定部、１５４…通過制御部、１５５…警報制御部、１７０…改札機側記憶部、２００…監視装置、２１０…監視装置側通信部、２２０…監視装置側入出力部、２３０…監視装置側制御部、２４０…監視装置側記憶部、Ｔ１…乗車券
【図１】
2019164428.tif 000003
【図２】
2019164428.tif 000004
【図３】
2019164428.tif 000005
【図４】
2019164428.tif 000006
【図５】
2019164428.tif 000007
【図６】
2019164428.tif 000008
【図７】
2019164428.tif 000009